(57)【要約】【課題】不意に開くことを防止し、単純な動作で開くことが可能な箱、及びブランクシートを提供すること。【解決手段】箱１０は、胴部２０と、第１の端面部３０と、第１のタック部５０と、フラップ部７０，８０と、切り欠き部７２と、を備える。第１のタック部５０は、互いに他方に向かって傾斜する一対の側辺部５３ｃを有する本体５１と、側辺部５３ｃに設けられ、本体５１突出する係合部５２と、を備える。切り欠き部７２は、フラップ部７０，８０それぞれの、第１の端面部３０が開口２０ａを閉じた状態にあるときに本体５１と対向する縁の胴部２０側の一端から所定距離離間した位置に形成され、第１の端面部３０を閉じる際に、係合部５２が通過可能な形状に構成される。【選択図】      図２
2020083461.tif 000002
【特許請求の範囲】
【請求項１】
少なくとも一端が開口し、前記少なくとも一方の開口の縁の少なくとも一部が直線状の形状を有する直線部に構成される胴部と、
前記直線部を有する前記開口の前記縁に設けられ、前記開口を開閉可能な端面部と、
前記端面部の縁の、前記端面部が前記開口を閉じた状態にあるときに前記直線部に対向する部分に設けられ、前記端面部が前記開口を閉じた状態にあるときに前記胴部内に配置されるタック部であって、前記端面部に対して反対側の一端側に向かうにつれて、前記端面部から前記一端へ向かう方向に直交する幅方向で内側に延びる側縁部を具備する本体、及び前記側縁部に設けられ、前記本体から前記一端へ向かう方向、及び前記幅方向のそれぞれに対して直交する方向に突出する係合部を具備するタック部と、
前記直線部を有する前記開口の前記縁の前記直線部の側方に設けられ、前記端面部が前記開口を閉じた状態にあるときに前記胴部の内面との間に、前記本体を配置するフラップ部と、
前記フラップ部の、前記端面部が前記開口を閉じた状態にあるときに前記本体と対向する縁の前記胴部側の一端から所定距離離間した位置に形成され、前記端面部を閉じる際に、前記係合部が通過可能な形状に構成された切り欠き部と、
を具備する箱。
【請求項２】
前記直線部に設けられる表示部を具備する、請求項１に記載の箱。
【請求項３】
前記係合部は、前記側縁部に回動可能に設けられ、
前記係合部を通る前記タック部の前記幅方向の最大長は、前記開口の幅よりも長い
請求項１に記載の箱。
【請求項４】
少なくとも一端が開口し、前記少なくとも一方の開口の縁の少なくとも一部が直線状の形状を有する直線部に構成される胴部を構成する胴部構成部と、
前記直線部を有する前記開口の前記縁に設けられ、前記開口を開閉可能な端面部を構成する端面部構成部と、
前記端面部の縁の、前記端面部が前記開口を閉じた状態にあるときに前記直線部に対向する部分に設けられ、前記端面部が前記開口を閉じた状態にあるときに前記胴部内に配置されるタック部を構成するタック部構成部であって、前記端面部に対して反対側の一端側に向かうにつれて、前記端面部から前記一端へ向かう方向に直交する幅方向で内側に延びる側縁部を具備する本体を構成する本体構成部と、前記側縁部に設けられる係合部を構成する係合部構成部と、を具備するタック部構成部と、
前記直線部を有する前記開口の前記縁の前記直線部の側方に設けられ、前記端面部が前記開口を閉じた状態にあるときに前記胴部の内面との間に、前記本体を配置するフラップ部を構成するフラップ部構成部と、
前記フラップ部の、前記端面部が前記開口を閉じた状態にあるときに前記本体と対向する縁の前記胴部側の一端から所定距離離間した位置に形成され、前記端面部を閉じる際に、前記係合部が通過可能な形状に構成された切り欠き部を構成する切り欠き部構成部と、
を具備し、シート状に構成されるブランクシート。
【発明の詳細な説明】
【技術分野】
【０００１】
本発明は、芳香剤等の被収容物を収容する箱、及びブランクシートに関する。
【背景技術】
【０００２】
従前から、芳香剤や消臭剤等の商品を、樹脂や紙から構成された箱に収容された状態で販売することが知られている。使用者は、商品を購入後、この箱から商品を取り出して使用する。この種の箱として、例えばサック箱が用いられる。
【０００３】
サック箱は、一枚のブランクシートに対して折り曲げ加工を施し、かつ、一部を接着剤等により固定することで構成される。サック箱は、筒状の胴部と、胴部の両端に設けられて開口を覆う端面部と、胴部の両端に設けられて胴部の開口内に折り込まれるフラップ部と、を有する。
【０００４】
端面部は、胴部内に収容されるタック部が連設される。フラップ部が折り込まれ、端面部が開口を覆い、かつ、タック部が胴部内に収容されることで、端面部により開口が覆われる状態が維持される。使用者は、端面部を開く際には、指をタック部及び開口の間に差し込み、タック部及び端面部を引き上げることで、端面部を開く。
【０００５】
このような箱では、不意に端面部が開くことを防止する為に、端面部により胴部の開口が覆われた状態をロックするロック構造を設ける技術が知られている。  
ロック構造として、端面部に設けられたスリットと、胴部の開口に設けられてスリットに差し込まれるロック片と、を有するインナーロック構造が知られている。
【０００６】
また、他のロック構造として、フラップ部に設けられるスリットと、タック部の端部に設けられて、折り曲げた状態でスリットを通過可能な係合部と、を有するロック構造が知られている。フラップ部に設けられるスリットは、フラップ部の胴部側の一端から、フラップ部の内側に向けて、延びる形状に構成される。
【０００７】
このロック構造では、端面部により開口を覆う際に、タック部の係合部を、スリットを通過可能な角度に折り曲げてから、フラップ部のスリットを通過させる。係合部は、フラップ部のスリットを通過すると、胴部内に収容される。さらに、係合部は、フラップ部のスリットを通過した後、弾性により、折り曲げられた状態から復帰する。係合部が復帰することにより、係合部はスリットに対してずれた位置に移動する。この為、端面部を開こうとすると、係合部がフラップ部に当接することで引っかかるので、端面部が開くことが防止される（例えば、特許文献１参照。）。
【先行技術文献】
【特許文献】
【０００８】
【特許文献１】特開２００５−１３２３９６号公報
【発明の概要】
【発明が解決しようとする課題】
【０００９】
上述のように、インナーロックにより端面部が開くことを防止するロック構造を有する箱には以下の問題があった。すなわち、端面部を開く為に、胴部の端部に設けられたロック片を端面部に形成されたスリットから引き抜く動作と、スリットからロック片を引き抜いた後の端面部を開く動作と、の異なる２つの動作を要する為、端面部を開く動作が面倒であるという問題がある。同様に、端面部を閉じる為に、端面部を閉じる動作と、ロック片をスリットに差し込む動作と、の異なる２つの動作を要する為、端面部を閉じる動作が面倒である。
【００１０】
また、タック部に設けられた係合部、及びフラップ部に形成されたスリットを有するロック構造を有する箱は、スリットが、フラップ部の胴部側の一端からフラップ部の内側に延びる形状に構成されることから、端面部を閉じる動作の際に、係合部の折り曲げ角度を、係合部がスリットを通過する角度に調整する必要があり、面倒であるという問題がある。さらに、端面部を閉じると、端面部を開くことができなくなる為、商品を箱から取り出すことができないという問題がある。
【００１１】
この為、本発明は、不意に開くことを防止しつつ、単純な動作で開くことが可能な箱、及びブランクシートを提供することを目的とする。
【課題を解決するための手段】
【００１２】
本発明の箱は、少なくとも一端が開口し、前記少なくとも一方の開口の縁の少なくとも一部が直線状の形状を有する直線部に構成される胴部と、前記直線部を有する前記開口の前記縁に設けられ、前記開口を開閉可能な端面部と、前記端面部の縁の、前記端面部が前記開口を閉じた状態にあるときに前記直線部に対向する部分に設けられ、前記端面部が前記開口を閉じた状態にあるときに前記胴部内に配置されるタック部であって、前記端面部に対して反対側の一端側に向かうにつれて、前記端面部から前記一端へ向かう方向に直交する幅方向で内側に延びる側縁部を具備する本体、及び前記側縁部に設けられ、前記本体から前記一端へ向かう方向、及び前記幅方向のそれぞれに対して直交する方向に突出する係合部を具備するタック部と、前記直線部を有する前記開口の前記縁の前記直線部の側方に設けられ、前記端面部が前記開口を閉じた状態にあるときに前記胴部の内面との間に、前記本体を配置するフラップ部と、前記フラップ部の、前記端面部が前記開口を閉じた状態にあるときに前記本体と対向する縁の前記胴部側の一端から所定距離離間した位置に形成され、前記端面部を閉じる際に、前記係合部が通過可能な形状に構成された切り欠き部と、を備える。
【発明の効果】
【００１３】
本発明によれば、不意に開くことを防止しつつ、単純な動作で開くことが可能な箱を提供できる。
【図面の簡単な説明】
【００１４】
【図１】本発明の一実施形態に係る箱の構成を示す斜視図。
【図２】一実施形態に係る箱を構成するブランクシートを示す平面図。
【図３】一実施形態に係る箱のブランクシートの要部を示す平面図。
【図４】一実施形態に係る箱に用いられる第１の端面部を閉じる動作を示す斜視図。
【図５】一実施形態に係る箱に用いられる第１の端面部を閉じる動作を示す斜視図。
【図６】一実施形態に係る箱に用いられる第１の端面部が閉じた状態の箱の要部を示す側面図。
【図７】一実施形態に係る箱に用いられる第１の端面部が閉じた状態の箱を示す平面図。
【図８】一実施形態に係る箱に用いられる第１の端面部を開く動作を示す斜視図。
【図９】一実施形態に係る箱に用いられる第１の端面部を開く動作を示す平面図。
【図１０】一実施形態に係る箱の変形例の構成を示す斜視図。
【図１１】一実施形態に係る箱の変形例の構成を示す斜視図。
【図１２】一実施形態に係る箱の変形例を構成するブランクシートを示す正面図。
【発明を実施するための形態】
【００１５】
本発明の第１の実施形態に係る箱１０を、図１乃至図９を用いて説明する。図１は、箱１０の構成を示す斜視図である。図２は、箱１０を構成するブランクシート５を示す平面図であり、すなわち、箱１０を展開した状態を示す図である。図３は、ブランクシート５の要部を拡大して示す平面図であり、具体的には、第１のタック部５０の一方の係合部５２の近傍を示す平面図である。
【００１６】
図４及び図５は、箱１０の第１の端面部３０を閉じる動作の一例を示す斜視図である。図６は、第１の端面部３０が閉じた状態の箱１０の要部を示す側面図である。図７は、第１の端面部３０が閉じた状態の箱１０の要部を示す平面図である。図８は、箱１０の第１の端面部３０を開く動作を示す斜視図である。図９は、箱１０の第１の端面部３０を開く動作を示す平面図である。
【００１７】
図１に示すように、箱１０は、一例として、外観が直方体状に構成される。図１及び図２に示すように、箱１０は、筒状の胴部２０と、第１の端面部３０と、第２の端面部４０と、第１のタック部５０と、第２のタック部６０と、第１のフラップ部７０と、第２のフラップ部８０と、第３のフラップ部９０と、第４のフラップ部１００と、を有する。
【００１８】
胴部２０は、開口２０ａを構成する縁が、例えば矩形状となる筒状に構成される。胴部２０は、第１の主面部２１と、第２の主面部２２と、第１の側面部２３と、第２の側面部２４と、グルーフラップ部２５と、を有する。
【００１９】
第１の端面部３０は、胴部２０の一方の開口２０ａの縁に設けられる。第２の端面部４０は、他方の開口２０ａの縁に設けられる。第１の端面部３０及び第２の端面部４０のそれぞれは、胴部２０に対して折り曲げられることで、開閉される。
【００２０】
第１のフラップ部７０及び第２のフラップ部８０は、第１の端面部３０が設けられる開口２０ａの縁に設けられる。第３のフラップ部９０及び第４のフラップ部１００は、第２の端面部４０が設けられる開口２０ａの縁に設けられる。フラップ部７０，８０，９０，１００は、胴部２０に対して折り曲げられることで、開閉される。
【００２１】
このような構成を有する箱１０は、芳香剤等の被収容物を収容する。なお、被収容物は、限定されない。箱１０は、一例として、サック箱である。箱１０は、ブランクシート５に対して、折り曲げ加工、及び一部を接着剤等で接着する加工を施すことにより、構成される。
【００２２】
図２に示すように、ブランクシート５は、第１の主面部２１、第２の主面部２２、第１の側面部２３、第２の側面部２４、グルーフラップ部２５と、第１の端面部３０、第２の端面部４０、第１のタック部５０、第２のタック部６０、第１のフラップ部７０、第２のフラップ部８０、第３のフラップ部９０、及び第４のフラップ部１００が、一体に形成される構成を有する。ブランクシート５は、一例として、透明な樹脂から構成される。なお、ブランクシート５は、樹脂から構成されることに限定されない。ブランクシート５は、他の例では、紙から構成されてもよい。以降、箱１０の構成について、ブランクシート５の状態での形状に基づいて、説明する。
【００２３】
第１の主面部２１は、例えば長方形状に構成される。第１の主面部２１の一方の短辺部２１ｂは、一方の開口２０ａの縁の一部を構成する。他方の短辺部２１ｂは、他方の開口２０ａの一部を構成する。第２の主面部２２は、第１の主面部２１に対向配置される。第２の主面部２２は、第１の主面部２１と同形状に構成される。第２の主面部２２の一方の短辺部２２ｂは、一方の開口２０ａの縁の一部を構成する。他方の短辺部２２ｂは、他方の開口２０ａの縁の一部を構成する。
【００２４】
第１の側面部２３は、例えば長方形状に構成される。第１の側面部２３は、第１の主面部２１の２つの長辺部２１ａの一方に連設される。また、第１の側面部２３の一方の短辺部２３ｂは、一方の開口２０ａの縁の一部を構成する。他方の短辺部２３ｂは、他方の開口２０ａの縁の一部を構成する。
【００２５】
第２の側面部２４は、第１の側面部２３に対向配置される。第２の側面部２４は、第１の側面部２３と同形状に構成される。第２の側面部２４は、第１の主面部２１の２つの長辺部２１ａのうち他方の長辺部２１ａ、及び第２の主面部２２の２つの長辺部２２ａの一方に連設される。第２の側面部２４の一方の短辺部２４ｂは、一方の開口２０ａの縁の一部を構成する。他方の短辺部２４ｂは、他方の開口２０ａの縁の一部を構成する。
【００２６】
グルーフラップ部２５は、例えば、第１の側面部２３の２つの長辺部２３ａの一方に連設される。グルーフラップ部２５が、第２の主面部２２に、接着剤等により固定されることで、胴部２０の筒状の形状が維持される。グルーフラップ部２５は、一例として、第１の側面部２３の一方の長辺部２３ａの、一端の近傍の位置から、他端の近傍の位置までの領域に、例えば長方形状に構成される。
【００２７】
第１の端面部３０は、胴部２０の一方の開口２０ａを覆うことが可能な形状に構成されており、一例として、開口２０ａと略同じ形状となる長方形状に構成される。第１の端面部３０は、第１の主面部２１の２つの短辺部２１ｂの一方に連設される。この短辺部２１ｂは、例えば、第１の端面部３０の一方の長辺部３０ａと共通の構成である。第１の端面部３０の一方の長辺部３０ａは、第１の端面部３０が閉じた状態にあるときに、一方の開口２０ａの縁の一部を構成する第２の主面部２２の短辺部２２ｂと対向する。
【００２８】
第２の端面部４０は、胴部２０の他方の開口２０ａを覆うことが可能な形状に構成されており、一例として、開口２０ａと略同じ形状となる長方形状に構成される。第２の端面部４０は、第１の端面部３０と対向する。第２の端面部４０は、第２の主面部２２の２つの短辺部２２ｂの一方に連設される。この短辺部２２ｂは、例えば、第２の端面部４０の一方の長辺部４０ａと共通の構成である。第２の端面部４０が連設される第２の主面部２２の短辺部２２ｂは、第１の端面部３０が連設される第１の主面部２１の短辺部２１ｂに対して相対する側に配置される。第２の端面部４０の一方の長辺部４０ａは、第２の端面部４０が閉じた状態にあるときに、他方の開口２０ａの縁の一部を構成する第１の主面部２１の短辺部２１ｂと対向する。
【００２９】
第１のタック部５０は、第１の端面部３０の２つの長辺部３０ａの他方に連設される。第１のタック部５０は、第１の端面部３０が開口２０ａを閉じた状態にあるときに、第２の主面部２２と、第１のフラップ部７０及び第２のフラップ部８０と、の間に配置される。換言すると、第１のタック部５０は、第１の端面部３０が胴部２０の開口２０ａを覆う位置にあるときに、胴部２０内に配置される。
【００３０】
第１のタック部５０は、本体５１と、２つの係合部５２と、を有する。本体５１は、例えば、台形状に構成される。本体５１の縁５３は、長辺部５３ａと、短辺部５３ｂと、２つの側辺部（側縁部）５３ｃと、を有する。長辺部５３ａは、例えば、第１の端面部３０の他方の長辺部３０ａと共通の構成である。短辺部５３ｂは、長辺部５３ａに対向配置される。短辺部５３ｂは、長辺部５３ａに平行に構成される。  
２つの側辺部５３ｃは、例えば、左右対称な形状に構成される。ここで言う左右対称な形状とは、長辺部５３ａの中間位置と、短辺部５３ｂの中間位置と、を結ぶ中心線Ｃ１に対して対称な形状であることである。一方の側辺部５３ｃ及び短辺部５３ｂのなす角度は、他方の側辺部５３ｃ及び短辺部５３ｂのなす角度と、同じに設定される。
【００３１】
係合部５２は、例えば、２つの側辺部５３ｃのそれぞれに１つずつ設けられる。係合部５２は、側辺部５３ｃに沿って折り曲げ可能に構成される。例えば、側辺部５３ｃの、係合部５２との境界には、折り曲げやすくするための溝が形成されてもよい。係合部５２は、側辺部５３ｃで折り曲げ可能であることで、側辺部５３ｃに対して回動可能となる。このように、折り曲げ可能である構造は、回動可能とする構造の一例である。係合部５２は、側辺部５３ｃの領域Ａに連設される。領域Ａは、図３に示すように、側辺部５３ｃの第１の位置Ｐ１及び第２の位置Ｐ２の間の領域である。
【００３２】
第１の位置Ｐ１は、側辺部５３ｃの中途位置である。中途位置とは、側辺部５３ｃの一端及び他端の間のいずれかの位置である。第１の位置Ｐ１は、一例として、側辺部５３ｃの一端及び他端間の中間位置である。
【００３３】
第２の位置Ｐ２は、第１の位置Ｐ１よりも長辺部５３ａ側の位置であって、かつ、側辺部５３ｃの長辺部５３ａ側の一端に対して短辺部５３ｂ側に所定の距離ずれた位置である。側辺部５３ｃの長辺部５３ａ側の一端から第２の位置Ｐ２までの、長辺部５３ａに直交する方向に沿う長さＬ１は、ブランクシート５の厚みと略同じ長さである。
【００３４】
係合部５２は、側辺部５３ｃから、外側に突出する形状に構成される。ここで言う外側とは、長辺部５３ａに平行な方向に、本体５１から離れる側である。係合部５２の、長辺部５３ａに平行な方向の先端５４は、本実施形態では一例として、長辺部５３ａよりも、長辺部５３ａに平行な方向で外側に位置する。
【００３５】
換言すると、係合部５２の一部は、長辺部５３ａに対して、長辺部５３ａに平行な方向で外側に位置する。この為、係合部５２を通る第１のタック部５０の幅方向の最大長は、開口２０ａの幅方向の長さよりも、長い。係合部５２を通る第１のタック部５０の幅方向の最大長とは、本実施形態では、２つの係合部５２が本体５１と面一となる状態での、２つの係合部５２のそれぞれの先端５４間の長さである。開口２０ａの幅方向の長さは、第１の端面部３０から、第１のタック部５０の短辺部５３ｂへ向かう方向に直交する方向であり、本実施形態では、第１の主面部２１の短辺部２１ｂに平行な方向となる。
【００３６】
ここで、係合部５２において、長辺部５３ａよりも、長辺部５３ａに平行な方向で外側に位置する部分を、突出部５５と称する。また、先端５４は、長辺部５３ａに平行な方向に、第２の位置Ｐ２と対向する。換言すると、係合部５２の縁５６の、先端５４及び第２の位置Ｐ２間の領域は、長辺部５３ａと平行に構成される。
【００３７】
また、第１の主面部２１及び第２の主面部２２が同形状であり、かつ開口２０ａが矩形状に構成されることから、係合部５２が第１のタック部５０の本体５１に対して面一であり、すなわち係合部５２が本体５１に対して折り曲げられていない状態において、突出部５５は、第１の端面部３０を閉じるときに第１のタック部５０が対向する、開口２０ａの縁の一部を構成する直線状の短辺部２２ｂに対して、短辺部２２ｂに平行な方向で外側に位置することとなる。
【００３８】
係合部５２の縁５６の、突出部５５及び他部の境の部分を、境界部５７と称する。境界部５７は、長辺部５３ａに平行な方向で、先端５４よりも本体５１側に位置する。
【００３９】
係合部５２の縁５６は、第１の端面部３０を閉じる際に、後述する切り欠き部７２の縁に接触する。縁５６は、第１の端面部３０を閉じる際に、係合部５２が切り欠き部７２を通過可能とするガイド部として機能する。縁５６は、一例として、以下の形状を有する。  
係合部５２の縁５６の、側辺部５３ｃの第１の位置Ｐ１、及び境界部５７の間の領域Ｂは、一例として、外側に向かって突出する曲線状に構成される。係合部５２の縁５６の、境界部５７及び先端５４の間の領域Ｃは、一例として、直線状に構成される。領域Ｃは、具体的には、第１の端面部３０に向かうにつれて、本体５１から離れる傾斜を有する直線状に構成される。
【００４０】
また、係合部５２は、第１の端面部３０が閉じた状態から開く際に、第１の端面部３０を開く方向に、後述する第１のフラップ部７０と接触することで第１の端面部３０を開く動作の抵抗となる接触部を有する。本実施形態では、係合部５２の縁５６の、先端５４及び第２の位置Ｐ２の間の領域Ｄが接触部として機能する。領域Ｄは、一例として、係合部５２が第１のタック部５０の本体５１に対して面一である状態にあるときに長辺部５３ａに平行な直線状に構成される。
【００４１】
係合部５２の幅Ｗ１は、側辺部５３ｃの係合部５２以外の部分から、当該係合部５２以外の部分に対して直交する方向で係合部５２の最も離れた部分Ｙまでの、当該直交する方向に沿う長さである。
【００４２】
第２のタック部６０は、図２に示すように、第２の端面部４０の２つの長辺部４０ａの一方に連設される。第２のタック部６０は、第１のタック部５０と同様に構成される。この為、第２のタック部６０において、第１のタック部５０と同様の機能を有する構成は、第１のタック部５０と同一の符号を付して説明を省略する。
【００４３】
第２のタック部６０がこのように構成されることで、第２のタック部６０の係合部５２が第２のタック部６０の本体５１に対して面一であり、すなわち係合部５２が本体５１に対して折り曲げられていない状態において、係合部５２は、第２の端面部４０を閉じるときに第２のタック部６０が対向する、開口２０ａの縁の一部を構成する直線状の短辺部２１ｂに対して、短辺部２１ｂに平行な方向で外側に位置することとなる。
【００４４】
第１のフラップ部７０は、第１の側面部２３の一方の短辺部２３ｂに連設される。第１のフラップ部７０は、短辺部２３ｂの一端から他端までの範囲に設けられる。ここで言う一方の短辺部２３ｂは、第１の端面部３０側の短辺部である。第１のフラップ部７０は、図３に示すように、例えば略矩形状に構成される。第１のフラップ部７０の縁７１は、第１の側面部２３の短辺部２３ｂと共通の構成である第１の辺部７１ａと、第１の辺部７１ａに相対する第２の辺部７１ｂと、第３の辺部７１ｃと、第４の辺部７１ｄと、を有する。第３の辺部７１ｃは、ブランクシート５の状態において、第１の端面部３０と対向配置される。第４の辺部７１ｄは、第３の辺部７１ｃと相対する辺部である。
【００４５】
第１のフラップ部７０の縁７１は、図１に示すように、第１の端面部３０が閉じた状態において、第１のタック部５０と対向する部分に、切り欠き部７２を有する。なお、第１の端面部３０が閉じた状態では、第１の端面部３０が開口２０ａを覆う位置にあり、第１のフラップ部７０及び第２のフラップ部８０部は開口２０ａ内に折り込まれ、第１のタック部５０は第１のフラップ部７０部及び第２のフラップ部８０と第２の主面部２２との間に配置される。
【００４６】
第１の端面部３０が閉じた状態では、第１のフラップ部７０の縁７１の第４の辺部７１ｄが、第１のタック部５０と対向する。この為、切り欠き部７２は、第４の辺部７１ｄに形成される。
【００４７】
切り欠き部７２は、第４の辺部７１ｄの第１の側面部２３側の一端から所定の距離を有する第３の位置Ｐ３に形成される。第３の位置Ｐ３は、係合部５２及びフラップ部７０，８０が所定の状態にあるときに、第１の端面部３０を閉じる方向に、係合部５２の第１の端面部３０を閉じる方向の先端側の部分が対向する位置である。
【００４８】
なお、ここで言う、係合部５２の第１の端面部３０を閉じる方向の先端側の部分は、先端となる第１の位置Ｐ１及び第１の位置Ｐ１の近傍を含む部分の少なくとも一部であり、第１の位置Ｐ１にのみ限定されるものではない。本実施形態では、係合部５２の第１の端面部３０を閉じる方向の先端側の部分は、一例として、第１の位置Ｐ１の近傍の部分である。なお、他の例では、第３の位置Ｐ３は、係合部５２の第１の端面部３０を閉じる方向の先端が対向する位置であってもよい。さらに換言すると、第３の位置Ｐ３は、係合部５２及びフラップ部７０，８０が所定の状態で第１の端面部３０を閉じたときに、係合部５２が切り欠き部７２にスムーズに進入可能となる位置である。ここで言うスムーズに進入可能とは、係合部５２が、切り欠き部７２の縁に当接することなく侵入可能であること、または、係合部５２が切り欠き部７２の縁に当接するが、当該当接の直後、係合部５２が切り欠き部７２に入り込むことが可能であることである。
【００４９】
係合部５２、及びフラップ部７０，８０の所定の状態とは、本実施形態では一例として、第１のフラップ部７０を第１の側面部２３に対して開口２０ａ側に９０度折り曲げ、第２のフラップ部８０を第２の側面部２４に対して開口２０ａ側に９０度折り曲げ、第１のタック部５０の係合部５２を、係合部５２及び本体５１のなす角度が所定角度、例えば所定の鈍角折り曲げた状態である。なお、係合部５２及び本体５１がなす所定角度が鈍角であることは一例であり、この角度に限定されない。
【００５０】
係合部５２、及びフラップ部７０，８０が所定の状態にあるときに、第１の端面部３０を閉じる際には、第１のタック部５０を、第２の主面部２２と、第１のフラップ部７０及び第２のフラップ部８０との間に差し込みながら第１の端面部３０を閉じることとなる。
【００５１】
切り欠き部７２は、係合部５２、及びフラップ部７０，８０が所定の状態にあるときに、第１の端面部３０を閉じる際に係合部５２が通過可能な形状に形成される。切り欠き部７２は、一例として、幅が、第１のフラップ部７０の内側に向かうに従い漸次短くなる形状に構成される。切り欠き部７２の深さＤ１は、本実施形態では一例として、係合部５２の幅Ｗ１より深い。ここで言う深さＤ１は、第４の辺部７１ｄの切り欠き部７２以外の部分から、切り欠き部７２の底端Ｘまでの、第４の辺部７１ｄに直交する方向に沿う長さである。
【００５２】
図２に示すように、第２のフラップ部８０は、第２の側面部２４の、第１の端面部３０側の短辺部２４ｂに連設される。第２のフラップ部８０は、第１のフラップ部７０と左右対称に構成される。ここで、左右対称とは、第１の端面部３０の２つの長辺部３０ａのそれぞれの中心を通る中心線Ｃ２に対して対称であることである。第２のフラップ部８０において第１のフラップ部７０と同様の機能を有する構成は、第１のフラップ部７０と同一の符号を付して説明を省略する。
【００５３】
第３のフラップ部９０は、第１の側面部２３の他方の短辺部２３ｂに連設される。第３のフラップ部９０は、短辺部２３ｂの一端から他端までの範囲に設けられる。第３のフラップ部９０は、平面視で矩形状に構成される。第３のフラップ部９０の縁９１は、一例として、第１の側面部２３の短辺部２３ｂと同一の構成となる第５の辺部９１ａと、第５の辺部９１ａに相対する第６の辺部９１ｂと、第７の辺部９１ｃと、第８の辺部９１ｄと、を有する。
【００５４】
第３のフラップ部９０の縁９１は、第２の端面部４０が閉じた状態において、第２のタック部６０と対向する部分に、切り欠き部９２を有する。なお、第２の端面部４０が閉じた状態では、第２の端面部４０は開口２０ａを覆う位置にあり、第３のフラップ部９０及び第４のフラップ部１００部は開口２０ａ内に折り込まれ、第２のタック部６０は第３のフラップ部９０及び第４のフラップ部１００と第１の主面部２１との間に配置される。
【００５５】
第２の端面部４０が閉じた状態では、第３のフラップ部９０の縁９１の第８の辺部９１ｄが、第２のタック部６０と対向する。この為、切り欠き部９２は、第８の辺部９１ｄに形成される。
【００５６】
切り欠き部９２は、第８の辺部９１ｄの第１の側面部２３側の一端から所定の距離を有する第４の位置Ｐ４に形成される。第４の位置Ｐ４は、係合部５２及びフラップ部９０，１００が所定の状態にあるときに、第２の端面部４０を閉じる方向に、係合部５２の第２の端面部４０を閉じる方向の先端側の部分が対向する位置である。
【００５７】
なお、ここで言う、係合部５２の第２の端面部４０を閉じる方向の先端側の部分は、先端となる第１の位置Ｐ１及び第１の位置Ｐ１の近傍を含む部分の少なくとも一部であり、第１の位置Ｐ１にのみ限定されるものではない。本実施形態では、係合部５２の第２の端面部４０を閉じる方向の先端側の部分は、一例として、第１の位置Ｐ１の近傍の部分である。なお、他の例では、第３の位置Ｐ３は、係合部５２の第１の端面部３０を閉じる方向の先端が対向する位置であってもよい。さらに換言すると、第４の位置Ｐ４は、係合部５２及びフラップ部９０，１００が所定の状態で第２の端面部４０を閉じたときに、係合部５２が切り欠き部９２にスムーズに進入可能となる位置である。ここで言うスムーズに進入可能とは、係合部５２が、切り欠き部９２の縁に当接することなく侵入可能であること、または、係合部５２が切り欠き部９２の縁に当接するが、当該当接の直後、係合部５２が切り欠き部９２に入り込むことが可能であることである。
【００５８】
切り欠き部９２は、係合部５２、及びフラップ部９０，１００が所定の状態にあるときに、第２の端面部４０を閉じる際に係合部５２が通過可能な形状に形成される。係合部５２、及びフラップ部９０，１００の所定の状態とは、第３のフラップ部９０を第１の側面部２３に対して開口２０ａ側に９０度折り曲げ、第４のフラップ部１００を第２の側面部２４に対して開口２０ａ側に９０度折り曲げ、第２のタック部６０の係合部５２を、係合部５２及び本体５１がなす角度が所定角度、例えば鈍角となる位置まで折り曲げた状態である。なお、係合部５２及び本体５１がなす所定角度が鈍角であることは一例であり、この角度に限定されない。
【００５９】
第２の端面部４０を閉じる際には、第２のタック部６０を、第１の主面部２１と、第３のフラップ部９０及び第４のフラップ部１００との間に差し込みながら第２の端面部４０を閉じることとなる。
【００６０】
切り欠き部９２は、一例として、幅が、第３のフラップ部９０の内側に向かうに従い漸次短くなる形状に構成される。切り欠き部９２の深さＤ２は、本実施形態では、一例として、係合部５２の幅Ｗ１より深い。ここで言う、切り欠き部９２の深さＤ２は、第８の辺部９１ｄの切り欠き部９２以外の部分から、切り欠き部９２の底端までの、第８の辺部９１ｄに直交する方向に沿う長さである。
【００６１】
切り欠き部９２は、一例として、幅が、第３のフラップ部９０の内側に向かうに従い漸次短くなる形状に構成される。切り欠き部９２の深さＤ２は、本実施形態では一例として、第２のタック部６０の係合部５２の幅Ｗ１より深い。ここで言う深さＤ２は、第３のフラップ部９０の第８の辺部９１ｄの切り欠き部９２以外の部分から、切り欠き部９２の底端Ｘ１までの、第８の辺部９１ｄに直交する方向に沿う長さである。切り欠き部９２の形状は、例えば切り欠き部７２と同形状に構成される。
【００６２】
第４のフラップ部１００は、第２の側面部２４の、第２の端面部４０側の短辺部２４ｂに連設される。第４のフラップ部１００は、第３のフラップ部９０と左右対称に構成される。ここで、左右対称とは、第１の端面部３０の２つの長辺部３０ａのそれぞれの中心を通る中心線Ｃ３に対して対称であることである。第４のフラップ部１００において第３のフラップ部９０と同様の機能を有する構成は、第３のフラップ部９０と同一の符号を付して説明を省略する。
【００６３】
なお、本実施形態では、ブランクシート５は、箱１０を展開した状態の一例の形状を有する。箱１０を構成するブランクシート５の形状は、上述の構成に限定されない。例えば、上述の例では、グルーフラップ部２５は、第１の側面部２３の一方の長辺部２３ａに連設される構成が説明されたが、これに限定されない。他の例では、グルーフラップ部２５は、第２の主面部２２の長辺部２２ａに連設される構成であってもよい。
【００６４】
次に、第１の端面部３０を閉じる動作を説明する。図４は、第１の端面部３０、第１のフラップ部７０、及び第２のフラップ部８０が開いた状態を示す斜視図である。
【００６５】
まず、使用者は、係合部５２、及びフラップ部７０，８０を所定の状態にする。具体的には、第１のタック部５０の２つの係合部５２のそれぞれを、本体５１に対して、開口２０ａ側に所定角度（本実施形態では所定の鈍角となる角度）折り曲げる。ここで言う開口２０ａ側とは、開口２０ａが第１の端面部３０により覆われた状態のときに、係合部５２が開口２０ａの内側に配置される、側である。
【００６６】
係合部５２は、上述のように折り曲げられることで、本体５１に対して、第１の端面部３０から第１のタック部５０の短辺部５３ｂへ向かう方向、及び開口２０ａの幅方向（第２の主面部２２の短辺部２２ｂの延びる方向）の２方向に対して直交する方向に突出する。なお、ここで言う、２方向に対して直交する方向に突出するとは、係合部５２及び本体５１がなす角度が９０度であることに限定されない。本実施形態のように、係合部５２がブランクシート５の状態から折り曲げられることで、係合部５２及び本体５１のなす角度が９０度より大きく１８０度未満となる状態も、９０度未満になる状態も含む。すなわち、上述の、係合部５２、及びフラップ部７０，８０の所定状態のように、係合部５２及び本体５１のなす角度が鈍角となる状態であっても、係合部５２は、本体５１に対して、第１の端面部３０から第１のタック部５０の短辺部５３ｂへ向かう方向、及び開口２０ａの幅方向（第２の主面部２２の短辺部２２ｂの延びる方向）の２方向に対して直交する方向に突出する状態である。
【００６７】
次に、使用者は、第１のフラップ部７０及び第２のフラップ部８０のそれぞれを、第１の辺部７１ａを折り目として、開口２０ａ側に９０度折り曲げる。
【００６８】
次に、使用者は、図５に示すように、第１のタック部５０を、第１のフラップ部７０及び第２のフラップ部８０のそれぞれの第４の辺部７１ｄと、第２の主面部２２との間に差し込む。
【００６９】
使用者は、さらに、第１の端面部３０を、当該第１の端面部３０を閉じる方向に移動させる。このとき、係合部５２、及びフラップ部７０，８０が所定の状態にあるので、２つの係合部５２のそれぞれの、第１の端面部３０を閉じる方向の先端側の部分が、第１の端面部３０を閉じる方向に切り欠き部７２に対向する位置に配置されている。この為、２つの係合部５２のそれぞれは、切り欠き部７２を通過可能である。係合部５２は、本体５１の側辺部５３ｃが傾斜することから、切り欠き部７２を通過する部分が、第１の端面部３０を閉じるにつれて、切り欠き部７２に対して次第に幅方向外側に移動する。しかしながら、係合部５２は、縁５６が第１の端面部３０を閉じるにつれて切り欠き部７２の縁に接触して変形することで、切り欠き部７２を通過する。このとき、係合部５２及び本体５１のなす角度は、変化する。例えば、係合部５２の幅Ｗ１、及び切り欠き部７２の深さＤ１によっては、係合部５２及び本体５１のなす角度が、鋭角となる状態も生じえる。
【００７０】
さらに、係合部５２の縁５６がガイド部に構成されることで、係合部５２がスムーズに切り欠き部７２を通過する。係合部５２は、切り欠き部７２を通過することで、第１のフラップ部７０または第２のフラップ部８０を乗り越える。２つの係合部５２がフラップ部７０，８０を乗り越えることで、第１の端面部３０を、開口２０ａを覆う位置まで閉じることが可能となる。係合部５２は、フラップ部７０，８０を通過すると、係合部５２の弾性や、係合部５２及び本体５１の間の折り曲げ部の弾性等によって形状が復帰し、本体５１との間の角度が、上述の所定の鈍角に戻る。
【００７１】
第１のフラップ部７０、第２のフラップ部８０、及び２つの係合部５２の少なくとも１つが、所定の状態からずれた場合では、第１のフラップ部７０、第２のフラップ部８０、及び２つの係合部５２の少なくとも１つが、第１の端面部３０を閉じる動作に伴い変形することで、係合部５２が、切り欠き部７２を通過する。
【００７２】
例えば、一方の係合部５２の折り曲げ部が、弾性により一部復帰することで、係合部５２及び本体５１のなす角度が、所定の角度（本実施形態では所定の鈍角となる角度）より大きくなる場合が想定される。この場合では、第１の端面部３０を閉じると、係合部５２の、第１の端面部３０を閉じる方向の先端側の部分は、第１のフラップ部７０の第４の辺部７１ｄの切り欠き７２からずれた部分に当接する。
【００７３】
この当接により、第１のフラップ部７０及び係合部５２が変形する。さらに、本体５１の側辺部５３ｃが、長辺部５３ａから短辺部５３ｂへ向かう方向に対して傾斜する方向に延びることから、第１の端面部３０を閉じる方向に移動することで、切り欠き部７２に対する係合部５２の位置が、相対的に外側に移動する。
【００７４】
これらの要因により、第１の端面部３０を閉じる動作のいずれかのタイミングで、係合部５２が切り欠き部７２に入り込む。そして、係合部５２が切り欠き部７２に入り込んだ後は、係合部５２は、第１の端面部３０を閉じるにつれて、切り欠き部７２を通過する。
【００７５】
または、係合部５２が、第１のフラップ部７０及び第２の主面部２２の間、または、第２のフラップ部８０及び第２の主面部２２の間を通過可能な程度まで折り曲げ状態が解除されると、係合部５２は、切り欠き部７２を通過することなく、第１のフラップ部７０または第２のフラップ部８０を乗り越える。
【００７６】
このように、２つの係合部５２のそれぞれがフラップ部を乗り越えることで、第１の端面部３０を、開口２０ａを覆う位置まで閉じることが可能となる。
【００７７】
第１のタック部５０が、第１の端面部３０により開口２０ａが覆われる位置まで胴部２０内に押し込まれると、一方の係合部５２が第１のフラップ部７０を乗り超え、かつ、他方の係合部５２が第２のフラップ部８０を乗り越える。係合部５２がフラップ部を乗り越えるとは、係合部５２が、縁５３の領域Ｄがフラップ部に当接する位置、または、領域Ｄがフラップ部に当接する位置を越えてさらに押し込まれた位置に配置されることである。すなわち、係合部５２がフラップ部を乗り越えた状態では、係合部５２は、フラップ部に対して胴部２０の内側に位置することとなる。
【００７８】
使用者は、係合部５２がフラップ部を乗り越えるときに生じる音により、係合部５２がフラップ部を乗り越える位置まで差し込まれたことを認識できる。この音は、ブランクシート５を構成する材料によって異なるが、ブランクシート５が樹脂で形成される場合は、例えば「パチン」という音が発生する。
【００７９】
係合部５２がフラップ部を乗り越えた状態では、第１の端面部３０を閉じる方向に移動することで切り欠き部７２に対する係合部５２の位置が相対的に外側に移動することで、２つの係合部５２のそれぞれは、第１の端面部３０を開く方向に、切り欠き部７２に対向しない。
【００８０】
この為、第１の端面部３０を閉じた状態から開こうとすると、係合部５２の突出部５５の縁５６の領域Ｄが、フラップ部に当接する。このように、係合部５２がフラップ部に当接することにより、第１の端面部３０の開き防止がなされる。さらに、領域Ｄは、フラップ部の内面に平行、または、略平行な姿勢で、フラップ部に当接するので、第１の端面部３０はより一層開きにくくなる。
【００８１】
なお、２つの係合部５２が、本体５１と面一となる状態では、２つの係合部５２の先端５４間の長さは、開口２０ａの幅よりも長い。この為、２つの係合部５２がフラップ部を乗り越えた状態において、弾性により折り曲げ部が延びても、先端５４が第１の側面部２３または第２の側面部２４に当接することで、係合部５２は、本体５１に対して折り曲げられた状態が維持される。
【００８２】
第２の端面部４０により胴部２０の他方の開口２０ａを閉じる動作も、第１の端面部３０により胴部２０の一方の開口２０ａを閉じる動作と同様である。
【００８３】
次に、閉じた状態の第１の端面部３０を開く動作を、図８及び図９を用いて説明する。使用者は、箱１０内に収容された芳香剤等の被収容物を取り出す場合には、第１の端面部３０または第２の端面部４０を開く。ここでは、一例として、第１の端面部３０を開く。使用者は、まず、指Ｆを第１のタック部５０及び第２の主面部２２の間に挿入して、指Ｆを第１のタック部５０の縁にかける。
【００８４】
次に、使用者は、指Ｆを引き上げる。指Ｆを引き上げることにより、第１のタック部５０及び第１の端面部３０が、開口２０ａに対して持ち上げられる。第１のタック部５０及び第１の端面部３０が持ち上げられることにより、第１のタック部５０及び第１の端面部３０が湾曲する。具体的には、第１のタック部５０及び第１の端面部３０は、第１のタック部５０の指Ｆがかけられる部分に対して両側が下がる形状に湾曲する。
【００８５】
第１のタック部５０及び第１の端面部３０が引き上げられることで、一方の係合部５２が第１のフラップ部７０に押し付けられ、かつ、他方の係合部５２が第２のフラップ部８０に押し付けられる。この為、抵抗が生じ、第１の端面部３０を開きにくくなる。
【００８６】
２つの係合部５２がフラップ部に当接した状態から、第１のタック部５０及び第１の端面部３０をさらに引き上げると、図７に示すように、一方の係合部５２は、第１のフラップ部７０に当接したまま、切り欠き部７２に向かって移動する。他方の係合部５２は、第２のフラップ部８０に当接したまま、切り欠き部７２に向かって移動する。使用者が指Ｆをさらに引き上げると、２つの突出部５５のそれぞれは、図９に示すように切り欠き部７２に入りこむ。
【００８７】
使用者が指Ｆをさらに引き上げると、２つの係合部５２のそれぞれは切り欠き部７２を通過する。係合部５２が切り欠き部７２を通過することで、係合部５２及びフラップ部の当接により生じた、第１の端面部３０の開き動作に対する抵抗が解消されるので、第１の端面部３０を開くことが可能となる。
【００８８】
このように構成された箱１０では、第１の端面部３０が閉じた状態では、２つの係合部５２がフラップ部に当接することで、第１の端面部３０を開きにくくなる。さらに、切り欠き部７２が、第１のフラップ部７０及び第２のフラップ部８０のそれぞれの第４の辺部７１ｄの、開口２０ａの縁から所定距離離間した第３の位置Ｐ３に形成されることにより、第１の端面部３０を、係合部５２が切り欠き部７２を通過するまで引き上げることで、第１の端面部３０をスムーズに開くことが可能となる。
【００８９】
第２の端面部４０においても同様であり、切り欠き部９２が、第３のフラップ部９０及び第４のフラップ部１００の第８の辺部９１ｄの、開口２０ａから所定距離離間した第４の位置Ｐ４に形成されることで、第２の端面部４０を係合部５２が切り欠き部９２を通過するまでは第２の端面部４０を開きにくくなる。そして、係合部５２が切り欠き部９２を通過することで、第２の端面部４０をスムーズに開くことが可能となる。
【００９０】
このように、係合部５２が切り欠き部７２を通過するまでの間は、第１の端面部３０が開くことを防止できるので、第１の端面部３０が不意に開くことを防止できる。同様に、係合部５２が切り欠き部９２を通過するまでの間は、第２の端面部４０が開くことを防止できるので、第２の端面部４０が不意に開くことを防止できる。
【００９１】
さらに、第１のタック部５０を引き上げるという１回の動作のみで、係合部５２を、切り欠き部７２を通過させ、かつ、その後に第１の端面部３０を開くことが可能となるので、単純な動作で第１の端面部３０を開くことが可能となる。同様に、第２のタック部６０を引き上げるという１回の動作のみで、係合部５２を、切り欠き部９２を通過させ、かつ、その後に第２の端面部４０を開くことが可能となるので、単純な動作で第２の端面部４０を開くことが可能となる。
【００９２】
さらに、係合部５２は、第１の端面部３０を閉じる際には、第１の端面部３０を閉じる方向に移動するだけで、切り欠き部７２を通過してフラップ部を乗り越える。または、係合部５２は、フラップ部及び第２の主面部２２の間を通過することで、フラップ部を乗り越える。この為、第１の端面部３０を閉じる方向に移動しながら、係合部５２の位置を切り欠き部７２に合わせて調整することがないので、第１の端面部３０をスムーズに閉じることが可能となる。
【００９３】
同様に、第２の端面部４０を閉じる際には、係合部５２は、第２の端面部４０を閉じる方向に移動するだけで、切り欠き部９２を通過してフラップ部を乗り越える。または、係合部５２は、フラップ部及び第１の主面部２１の間を通過することで、フラップ部を乗り越える。この為、第２の端面部４０を閉じる方向に移動しながら、係合部５２の位置を切り欠き部９２に合わせて調整することがないので、第２の端面部４０をスムーズに閉じることが可能となる。
【００９４】
さらに、２つの係合部５２が本体５１と面一となる状態において、２つの係合部５２のそれぞれの先端５４間の長さが、開口２０ａの幅よりも長いことによって、第１の端面部３０を閉じた状態において、２つの係合部５２が弾性によって折り曲げた状態から延びても、２つの係合部５２のそれぞれが、第１の側面部２３または第２の側面部２４に当接することで、本体５１に対して折り曲げられた状態が維持される。
【００９５】
この為、第１の端面部３０を閉じた状態から開く際に、２つの係合部５２のそれぞれが第１のフラップ部７０または第２のフラップ部８０に当接することで抵抗が生じるので、第１の端面部３０が不意に開くことを防止できる。第２の端面部４０についても、同様である。
【００９６】
なお、上述の例では、胴部２０の２つの開口２０ａのそれぞれに係合部及び切り欠き部を有するロック構造が設けられた構成が、一例として説明された。しかしながら、胴部２０の２つの開口２０ａのそれぞれに係合部及び切り欠き部を有するロック構造が設けられる構成に限定されない。係合部及び切り欠き部を有するロック構造は、少なくとも一方の開口２０ａに設けられればよい。
【００９７】
この構成の一例としては、図１０乃至第１２に示す変形例のように、第２の端面部４０が閉じた状態を維持するロック構造は係合部５２及び切り欠き部９２を有するロック構造が用いられ、第１の端面部３０が閉じた状態を維持するロック構造としてインナーロック構造１１０が用いられる構成であってもよい。
【００９８】
図１０は、本変形例に係る箱１０の構成を示す斜視図であり、第２の端面部４０側を示している。図１１は、本変形例に係る箱１０の構成を示す斜視図であり、第１の端面部３０側を示している。図１２は、本変形例に係る箱１０を構成するブランクシート５を示す平面図である。
【００９９】
図１０乃至図１２に示すように、本変形例の箱１０では、第１の端面部３０は、インナーロック構造１１０により、閉じた状態がロックされる。インナーロック構造１１０は、第１の端面部３０の長辺部３０ａに形成されたスリット１１１と、第２の主面部２２の短辺部２２ｂに形成されたロック片１１２と、を有する。なお、本変形例では、第１のタック部５０は、係合部５２を有していない。また、第１のフラップ部７０及び第２のフラップ部８０は、切り欠き部７２を有していない。ロック片１１２は、第１の端面部３０が閉じた状態にあるときに、スリット１１１に差し込まれる。ロック片１１２がスリット１１１に差し込まれることにより、第１の端面部３０が開口２０ａを覆う状態がロックされる。
【０１００】
また、本変形例では、図１０及び図１２に示すように、第１の主面部２１の、第１の端面部３０が形成される短辺部２１ｂと相対する短辺部２１ｂに、表示部１２０が形成される。表示部１２０は、第２の端面部４０が閉じた状態において、外部に露出する。表示部１２０には、例えば、商品の名前等の情報が記載される。
【０１０１】
本変形例のように、表示部１２０を有することで、ブランクシート５以外の部材を用いなくとも商品の宣伝効果を向上することが可能となる。なお、表示部１２０は、係合部５２により第２の端面部４０が開口２０ａを覆う状態をロックすることにより、第１の主面部２１の、第１の端面部３０に相対する側の短辺部２１ｂにロックに要する構造を設けることがない構成であることから、設けることが可能となっている。
【０１０２】
この為、表示部１２０は、図１乃至図９に示す構成においても、第１の主面部２１の一方の短辺部２１ｂ、及び第２の主面部２２の一方の短辺部２２ｂにも設けることが可能である。
【０１０３】
なお、図１０乃至図１２に示す本変形例の構成において、インナーロック構造１１０及び表示部１２０が新たに設けられる点、並びに、第１のフラップ部７０及び第２のフラップ部８０のそれぞれに切り欠き部７２が形成されない点、以外の構成については、図１乃至図９に示す構成と同じであるので、共通の構成については同一の符号を付して説明を省略する。
【０１０４】
さらに、図１乃至図１３に示す上述の例では、胴部２０は、開口２０ａが矩形に構成される例が説明されたが、これに限定されない。胴部２０は、開口２０ａを構成する縁の少なくとも一部が直線状に構成される直線部を有する構成であればよい。上述の例では、第１の主面部２１の短辺部２１ｂ、及び第２の主面部２２の短辺部２２ｂが、直線部の一例を構成する。
【０１０５】
胴部２０の構成の他の例として、開口２０ａを構成する縁が４角形や５角形等の多角形となる筒状の構成や、開口２０ａを構成する縁の一部が直線部に構成され、縁の他部が湾曲した形状に構成される筒状の構成であってもよい。
【０１０６】
このような構成であっても、第１のフラップ部７０が設けられる側の開口２０ａについて代表して説明すれば、第１のフラップ部７０が、開口２０ａを構成する縁の直線部を挟んで一方側に設けられ、第２のフラップ部８０が、開口２０ａを構成する縁の直線部を挟んで他方側に設けられ、第１のタック部５０が、第１の端面部３０の縁の、第１の端面部３０が開口２０ａを閉じた状態にあるときに直線部に対向する部分に形成され、第１のタック部５０が、長辺部５３ａ、短辺部５３ｂ、及び２つの側辺部５３ｃを有する形状に構成され、そして、係合部５２が側辺部５３ｃに形成される構成を有することで、本実施形態と同様の効果が得られる。
【０１０７】
また、図１乃至図１３に示す上述の例では、箱１０は、ブランクシート５を折り曲げることにより構成される例が説明されたが、これに限定されない。  
また、図１乃至図１３に示す上述の例では、胴部２０は、一例としてブランクシート５から構成されることから、両端が開口する筒状に構成される例が説明された。しかしながら、胴部２０は、両端が開口する形状に構成されることに限定されない。胴部２０は、例えば、一端が開口し、かつ、他端が閉塞される構成であってもよい。ここで言う閉塞とは、開閉不能な壁部により覆われることである。この構成の場合は、開口する一端が、例えば第１の端面部３０により開閉される。このように、胴部２０は、少なくとも一端が開口する形状であればよい。
【０１０８】
また、図１乃至図１３に示す例では、第１のタック部５０及び第２のタック部６０のそれぞれの本体５１は、一例として台形状に構成され、２つの側辺部５３ｃのそれぞれが、第１の端面部３０または第２の端面部４０に対して反対側となる短辺部５３ｂに向かうにつれて、幅方向内側に延びる、直線状に構成された例が説明された。
【０１０９】
しかしながら、本体５１は、上述の構成に限定されない。本体５１は、例えば、一方の側辺部５３ｃのみが、短辺部５３ｂに向かうにつれて他方の側辺部５３ｃに向かって延びる形状に構成されてもよい。または、本体５１は、台形以外の形状に形成されてもよい。この例としては、短辺部５３ｂが曲線状に構成され、さらに、少なくとも一方の側辺部５３ｃが、短辺部５３ｂに向かうにつれて、他方の側辺部５３ｃに近づく曲線状に構成されてもよい。
【０１１０】
また、図１乃至図１３に示す例では、第１のタック部５０、及び第２のタック部６０のそれぞれに２つ設けられた構成が一例として説明されたが、これに限定されない。例えば、第１のタック部５０は、一方の側辺部５３ｃのみに係合部５２が形成される構成であってもよい。このように、係合部は、１つのタック部に対して１つのみ形成される構成であってもよい。
【０１１１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１１２】
５…ブランクシート、１０…箱、２０…胴部、２０ａ…開口、２１…第１の主面部、２１ａ…長辺部、２１ｂ…短辺部、２２…第２の主面部、２２ａ…長辺部、２２ｂ…短辺部、２３…第１の側面部、２３ａ…長辺部、２３ｂ…短辺部、２４…第２の側面部、２４ｂ…短辺部、２５…グルーフラップ部、３０…第１の端面部、３０ａ…長辺部、３０ｂ…短辺部、４０…第２の端面部、４０ａ…長辺部、５０…第１のタック部、５１…本体、５２…係合部、５３…縁、５３ａ…長辺部、５３ｂ…短辺部、５３ｃ…側辺部、５４…先端、５５…突出部、５６…縁、５７…境界部、６０…第２のタック部、７０…第１のフラップ部、７１…縁、７１ａ…第１の辺部、７１ｂ…第２の辺部、７１ｃ…第３の辺部、７１ｄ…第４の辺部、７２…切り欠き部、８０…第２のフラップ部、９０…第３のフラップ部、９１…縁、９１ａ…第５の辺部、９１ｂ…第６の辺部、９１ｃ…第７の辺部、９１ｄ…第８の辺部、９２…切り欠き部、１００…第４のフラップ部、１１０…インナーロック構造、１２０…表示部。
【図１】
2020083461.tif 000003
【図２】
2020083461.tif 000004
【図３】
2020083461.tif 000005
【図４】
2020083461.tif 000006
【図５】
2020083461.tif 000007
【図６】
2020083461.tif 000008
【図７】
2020083461.tif 000009
【図８】
2020083461.tif 000010
【図９】
2020083461.tif 000011
【図１０】
2020083461.tif 000012
【図１１】
2020083461.tif 000013
【図１２】
2020083461.tif 000014